(57)【要約】      （修正有）【課題】結合式マルチモジュール型の電子シールを提供する。【解決手段】内部にＲＦＩＤモジュールとＲＦＩＤ発射アンテナと電気的に接続する伝送コードを有すると共に、前記伝送コードと電気的に接続するマルチ点電子接続端子を有する挿入ピンと、内部にＣ字形の係合リングが設けられ、前記係合リングによって前記挿入ピンと係合することにより、被動式の電子シールを構成する。ピン挿入座は、内部にピン接続端子が設けられ、前記ピン接続端子が前記マルチ点電子接続端子と対応し、通信制御座におけるピン挿入座の一側が係合モジュールの一端と係合し、前記係合モジュールの他端が制御と通信モジュールと電気的に接続し、前記制御と通信モジュールが電源モジュールと電気的に接続し、前記挿入ピンと前記ピンソケットが前記通信制御座におけるピン挿入座に挿入して結合することにより、主動式の電子シールを構成する。【選択図】図１
2014119892.tif 000002
【特許請求の範囲】
【請求項１】
内部にＲＦＩＤモジュールとＲＦＩＤ発射アンテナと電気的に接続する伝送コードを有すると共に、前記伝送コードと電気的に接続するマルチ点電子接続端子を有する挿入ピンと、
内部にＣ字形の係合リングが設けられ、前記係合リングによって前記挿入ピンと係合することにより、被動式の電子シールを構成する、前記挿入ピンを挿入するためのピンソケットと、
絶縁のプラスチックケースから構成され、前記ピンソケットを挿入して係合するためのピン挿入座が設けられる通信制御座と、を備え、
前記ピン挿入座は、内部にピン接続端子が設けられ、前記ピン接続端子が前記マルチ点電子接続端子と対応し、前記通信制御座におけるピン挿入座の一側が係合モジュールの一端と係合し、前記係合モジュールの他端が制御と通信モジュールと電気的に接続し、前記制御と通信モジュールが電源モジュールと電気的に接続し、前記挿入ピンと前記ピンソケットが前記通信制御座におけるピン挿入座に挿入して結合することにより、主動式の電子シールを構成することを特徴とする結合式マルチモジュール型の電子シール。
【請求項２】
前記挿入ピンは、金属製であり、その外部にプラスチックケースにてカバーし、且つ前記挿入ピンの末端に第１のリング状溝が形成され、
前記挿入ピンが前記ピンソケットに挿入すると、前記Ｃ字形の係合リングが前記第１のリング状溝に係合することにより、前記挿入ピンを係合することを特徴とする請求項１に記載の結合式マルチモジュール型の電子シール。
【請求項３】
前記ピンソケット外部の末端に第２のリング状溝が形成され、前記挿入ピンと前記ピンソケットとを結合して更に前記通信制御座のピン挿入座と結合すると、前記係合モジュールの一端が前記第２のリング状溝に係合されることを特徴とする請求項１に記載の結合式マルチモジュール型の電子シール。
【請求項４】
前記係合モジュールは、三日月形のロッドと、係合座と、モータから構成され、前記三日月形のロッドの一端が前記第２のリング状溝に係合され、前記三日月形のロッドの他端が前記係合座に連接され、且つ前記係合座の中央部に前記モータが設けられることにより、前記三日月形のロッドを連動することを特徴とする請求項３に記載の結合式マルチモジュール型の電子シール。
【請求項５】
前記挿入ピンと前記ピンソケットとの結合により形成される被動式の電子シールと、前記前記挿入ピンと前記ピンソケットと前記通信制御座との結合により形成される主動式の電子シールと、被動式/主動式の電子シールとを組み立って使用することができることにより、夫々の安全識別信号を提供し、被動式の電子シールによってシールを行うの何れかの効果を達成できることを特徴とする請求項１に記載の結合式マルチモジュール型の電子シール。
【請求項６】
前記制御と通信モジュールには、電圧変換ユニットと、リモート通信ユニットと、ＧＰＳユニットが設けられ、前記電圧変換ユニットと前記電源モジュールは電気的に接続され、前記電源モジュールから供給される電力に対して変換を行うことにより、前記結合式マルチモジュール型の電子シールにおける各部材に電力を供給することを特徴とする請求項１に記載の結合式マルチモジュール型の電子シール。
【請求項７】
前記通信制御座は、データの表示及びアラームの発送のために、前記制御と通信モジュールと電気的に接続する表示及びアラームモジュールが更に設けられることを特徴とする請求項１に記載の結合式マルチモジュール型の電子シール。
【請求項８】
前記通信制御座には、暗号化の命令信号を接収してシールを解除するために、前記制御と通信モジュールと電気的に接続する安全スイッチモジュールが更に設けられることを特徴とする請求項１に記載の結合式マルチモジュール型の電子シール。
【請求項９】
被動式の電子シールと主動式の電子シールから構成され、安全シールの電気回路信号を感知すると共に、通信制御座のピン接続端子と挿入ピンのマルチ点電子接続端子との接続することにより、安全シールの確認電気信号回路を構成し、前記電気信号回路が破壊されると、前記通信制御座が自動的にアラーム信号を発送し、又、前記被動式の電子シールの挿入ピンとピンソケットがピン挿入座から離脱すると、前記主動式の電子シールにおける係合モジュールは、主動式の電子シールを係合したか否かの確認とするために、この離脱信号をリアルに感知していることを特徴とする結合式マルチモジュール型の電子シール。
【発明の詳細な説明】
【技術分野】
【０００１】
本発明は、結合式マルチモジュール型の電子シールであり、特に物品の輸送過程中に、被動式の電子シール及び手動式の電子シールの効果と機能を結合して用いられる結合式マルチモジュール型の電子シールに関するものである。
【背景技術】
【０００２】
現在、グローバルについて各国の間に国際の貿易物品を流通する方式は、密閉のコンテナによって行う。又、物品の輸送過程中に摩り替えや盗難などの防止に係わる安全監視システムは、グローバルの貿易流通に対して非常に重要の課題となる。
【０００３】
従来のコンテナ輸送には、機械式のコンテナシールがコンテナの扉におけるロックに用いられることによりコンテナを封じると共に、機械式のコンテナシールの一側に外側に露出するようにバーコードを印刷することにより、税関人員は通関申告の資料に記載されるバーコードとコンテナシールに印刷されるバーコードが一致するか否かをチェックすることができる。しかし、この機械式のコンテナシールは、破壊されやすく、シールに印刷されるバーコードでもコピーされやすいため、コンテナの密輸問題を発生しやすくなる。
【０００４】
前記機械式のコンテナシールの問題に鑑み、最近のコンテナシールは、電子式のコンテナシールが多く使用される。機械式のコンテナシールにＲＦＩＤ（Radio Frequency Identification、「電波による個体識別」）のチップ（ＩＣタグ）を埋め込むと共に、当該チップを読み出し可能のリーダーによってこのような電子式コンテナシールを配置するコンテナに対して検査を行うことにより、コンテナの密輸や機械式コンテナシールの破壊されやすい問題、及びシールに印刷するバーコードがコピーされやすい問題を低減し、従来の問題を改善可能となる。
【０００５】
しかし、前記電子式コンテナシールは、主動式と被動式に分けている。主動式の電子式コンテナシールは、バッテリーの電力供給があるＲＦＩＤチップを有することにより、主動式の電子式コンテナシールが破壊されて開錠された時に、自動的にアラーム信号を発送し出す。主動式の電子式コンテナシールの内部構成は、複雑であり、且つコストも高いため、一般の場合、この主動式の電子式コンテナシールを回収して再利用している。
【０００６】
又、被動式の電子式コンテナシールの構成は、簡単で内部にバッテリーが有しなく、更に、被動式の電子式コンテナシールの動作原理は、外部ＲＦＩＤリーダーより電磁波のエネルギーを発送してＲＦＩＤチップが激発され、ＲＦＩＤチップの内部に記憶されるデータを電磁信号にてリーダーに返送することにより、データ交換の目的を達成する。しかし、バッテリーで電力を供給しないため、被動式の電子式コンテナシールが破壊された時に、シールをする時に破壊されるか否かについて記録できず、輸送時に安全性の配慮を発生する場合がある。
【発明の概要】
【発明が解決しようとする課題】
【０００７】
しかしながら、主動式の電子式コンテナシール又は被動式の電子式コンテナシールをコンテナ輸送に使用しても、各国に使用される電子コンテナシールの読み取り設備が異なる（一部の国には、主動式の電子式コンテナシールを使用し、他の一部の国には、被動式の電子式コンテナシールを使用する）ため、電子シールに対する読み取りの共通性が足りず、各国の間にコンテナの輸送に対して制限されてしまい、更に実際の使用方面に対応できないため、非常に不便である。
【０００８】
従って、上記の課題を如何なる解決するのは業者の解決しようとする課題となる。
【課題を解決するための手段】
【０００９】
本発明の目的は、挿入ピンと、ピンソケットと、通信制御座から構成されると共に、被動式の電子シール及び主動式の電子シールの効果とメリットを結合する結合式マルチモジュール型の電子シールを提供することにより、各国の税関にＲＦＩＤのリーダーシステムに対応して通関申告の作業をスムーズに進めることができ、破壊事件の記録や密輸の防止やリアルフィードバックの効果を達成できる。
【００１０】
上記の目的を達成するために、本発明は、内部にＲＦＩＤモジュールとＲＦＩＤ発射アンテナと電気的に接続する伝送コードを有すると共に、前記伝送コードと電気的に接続するマルチ点電子接続端子を有する挿入ピンと、内部にＣ字形の係合リングが設けられ、前記係合リングによって前記挿入ピンと係合することにより、被動式の電子シールを構成する、前記挿入ピンを挿入するためのピンソケットと、絶縁のプラスチックケースから構成され、前記ピンソケットを挿入して係合するためのピン挿入座が設けられる通信制御座と、を備え、前記ピン挿入座は、内部にピン接続端子が設けられ、前記ピン接続端子が前記マルチ点電子接続端子と対応し、前記通信制御座におけるピン挿入座の一側が係合モジュールの一端と係合し、前記係合モジュールの他端が制御と通信モジュールと電気的に接続し、前記制御と通信モジュールが電源モジュールと電気的に接続し、前記挿入ピンと前記ピンソケットが前記通信制御座におけるピン挿入座に挿入して結合することにより、主動式の電子シールを構成する。
【００１１】
本発明は、無電源の被動式の電子シールと、バッテリーより電力を供給することにより破壊が自動的に感知される主動式の電子シールとを結合して使用するので、高い安全性と多様の効果を達成でき、その特徴は、結合式マルチモジュール型の電子シールである。
【００１２】
更に説明すると、本発明は、被動式の電子シールと主動式の電子シールとを夫々使用する際の技術特徴と実用効果を結合するだけではなく、この結合式マルチモジュール型の電子シールにおける被動式の電子シールと主動式の電子シールとの間に安全にシールしたか否かの電気信号を感知している。
【００１３】
その一つの実施形態は、主動式の電子シールにおける通信制御座のピン接続端子により前記ピンと前記通信制御材との間に安全にシールか否かの電気信号回路を提供し、被動式の電子シールを安全確認の手段として使用されている。前記安全にシールか否かの電気信号回路が破壊される（例えば切断される）と、前記通信制御座のリモート通信ユニットが自動的に破壊される信号を発送することにより、従来の被動式の電子シールを破壊された時、リアルに破壊された信号を発送できない問題を解決できる。又、被動式の電子シールの挿入ピンと前記ピンソケットが前記ピン挿入座から離脱すると、主動式の電子シールにおける係合モジュールは、主動式の電子シールを係合したか否かの確認とするために、この離脱信号をリアルに感知している。
【図面の簡単な説明】
【００１４】
【図１】本発明に係わる結合式マルチモジュール型の電子シールの構成を示す参考図である。
【図２】本発明に係わる結合式マルチモジュール型の電子シールの使用状態を示す参考図である。
【図３】本発明に係わる結合式マルチモジュール型の電子シールの使用状態を示す参考図である。
【図４】本発明に係わる結合式マルチモジュール型の電子シールの使用状態を示す参考図である。
【発明を実施するための形態】
【００１５】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１６】
図１乃至図４に示すのは、本発明に係わる結合式マルチモジュール型の電子シールの構成を示す参考図及び本発明に係わる結合式マルチモジュール型の電子シールの使用状態を示す参考図である。本発明は、挿入ピン（１１）と、ピンソケット（１２）と、通信制御座（１３）から構成される。
【００１７】
前記挿入ピン（１１）の内部にマルチ点電子接続端子（１１１）が設けられ、且つ前記マルチ点電子接続端子（１１１）が伝送コード（１１２）と電気的に接続され、前記伝送コード（１１２）がＲＦＩＤモジュール（１１３）とＲＦＩＤ発射アンテナ（１１４）と電気的に接続されることにより、被動式の電子シールにおけるＲＦＩＤ識別回路が構成される。前記ピンソケット（１２）は、前記挿入ピンを挿入するためのものであり、内部にＣ字形の係合リング（１２１）が設けられ、前記係合リング（１２１）によって前記挿入ピン（１１）と係合すると共に、被動式の電子シールにおけるＲＦＩＤ識別回路と配合することにより、被動式の電子シールを構成する。
【００１８】
前記通信制御座（１３）は、絶縁のプラスチックケース（１３１）から構成されると共に、前記ピンソケット（１２）を挿入して係合するためのピン挿入座（１３２）が設けられ、前記ピン挿入座（１３２）は、内部にピン接続端子（１３３）が設けられ、前記ピン接続端子（１３３）が前記マルチ点電子接続端子（１１１）と対応し、前記通信制御座（１３）におけるピン挿入座（１３２）の一側が係合モジュール（１３４）の一端と係合し、前記係合モジュール（１３４）の他端が制御と通信モジュール（１３５）と電気的に接続し、前記制御と通信モジュール（１３５）が電源モジュール（１３６）と電気的に接続し、前記挿入ピン（１１）と前記ピンソケット（１２）が前記通信制御座（１３）におけるピン挿入座（１３２）に挿入して結合することにより、主動式の電子シールを構成する。これにより、被動式の電子シール及び主動式の電子シールの効果とメリットを結合する結合式マルチモジュール型の電子シールとなる。
【００１９】
本実施形態において、前記挿入ピン（１１）は、金属製であり、その外部にプラスチックケース（図面なし）にてカバーし、且つ前記挿入ピン（１１）の末端に第１のリング状溝（１１５）が形成される。前記挿入ピン（１１）が前記ピンソケット（１２）に挿入すると、前記Ｃ字形の係合リング（１２１）が前記第１のリング状溝（１１５）に係合することにより、前記挿入ピン（１１）を係合し、又、この係合と伴い、前記ＲＦＩＤモジュール（１１３）とＲＦＩＤ発射アンテナ（１１４）とを繋がって被動式の電子シールの効果を達成する。
【００２０】
本実施形態において、前記ピンソケット（１２）外部の末端に第２のリング状溝（１２２）が形成され、前記挿入ピン（１１）と前記ピンソケット（１２）とを結合して更に前記通信制御座（１３）のピン挿入座（１３２）と結合すると、前記係合モジュール（１３４）の一端が前記第２のリング状溝（１２２）に係合される。
【００２１】
本実施例において、前記係合モジュール（１３４）は、三日月形のロッド（１３４１）と、係合座（１３４２）と、モータ（１３４３）から構成され、前記三日月形のロッド（１３４１）の一端が前記第２のリング状溝（１２２）に係合され、前記三日月形のロッド（１３４１）の他端が前記係合座（１３４２）に連接され、且つ前記係合座（１３４２）の中央部に前記モータ（１３４３）の回転軸が連接される。本実施形態において、前記制御と通信モジュール（１３５）には、電圧変換ユニット（１３５１）と、リモート通信ユニット（１３５２）と、ＧＰＳ（グローバル・ポジショニング・システム（Global Positioning System））ユニット（１３５３）が設けられ、前記電圧変換ユニット（１３５１）と前記電源モジュール（１３６）は電気的に接続され、前記電源モジュール（１３６）から供給される電力に対して変換を行うことにより、前記結合式マルチモジュール型の電子シールにおける各部材に電力を供給する。
【００２２】
本実施形態において、前記通信制御座（１３）には、データの表示及びアラームの発送のために、前記制御と通信モジュール（１３５）と電気的に接続する表示及びアラームモジュール（１３７）が更に設けられる（図４に示す）。
【００２３】
本実施形態において、前記結合式マルチモジュール型の電子シールにおける前記通信制御座（１３）には、暗号化の命令信号を接収してシールを解除するために、前記制御と通信モジュール（１３５）と電気的に接続する安全スイッチモジュール（１３８）が更に設けられる。
【００２４】
コンテナをシールしてロックする時に、まず前記挿入ピン（１１）がコンテナにおける係合リング又はロックリング（図面なし）を貫通し、そして前記ピンソケット（１２）と係合し、前記ピンソケット（１２）におけるＣ字形の係合リング（１２１）が前記挿入ピン（１１）における第１のリング状溝と緊密に係合することにより、前記挿入ピン（１１）が前記ピンソケット（１２）にロックされ、こうすることにより、前記被動式の電子シールと構成され（図２に示す）、そして、前記挿入ピン（１１）と前記ピンソケット（１２）と共に前記通信制御座（１３）におけるピン挿入座（１３２）に挿入することにより、前記挿入ピン（１１）の内部に設けられるマルチ点電子接続端子（１１１）が前記ピン挿入座（１３２）の内部に設けられるピン接続端子（１３３）と対応し（図３に示す）、前記マルチ点電子接続端子（１１１）とピン接続端子（１３３）が対応して連接した後、前記通信制御座（１３）とその内部におけるリモート通信ユニット（１３５２）を接続させ、これにより、主動式の電子シールの効果を達成する。更に、外部の固定式又は携帯式のＲＦＩＤリーダーから外部暗号化の命令信号を発射し、前記通信制御座（１３）のリモート通信ユニット（１３５２）が前記外部暗号化の命令信号を接収してシール命令を発生することにより、前記係合モジュール（１３４）のモータ（１３４３）が順時計方向へ回転すると共に、前記係合座（１３４２）も順時計方向へ回転し、前記三日月形のロッド（１３４１）が前記ピンソケット（１２）へ移動して前記第２のリング状溝（１２２）に係合され、ことにより、前記ピンソケット（１２）が前記ピン挿入座（１３２）に緊密に係合され、前記前記ピンソケット（１２）と前記ピン挿入座（１３２）を緊密に係合した後、前記制御と通信モジュール（１３５）は前記モータ（１３４３）への電力供給を中止する。
【００２５】
前記リモート通信ユニット（１３５２）は前記外部暗号化の命令信号を接収する時に、前記制御と通信モジュール（１３５）の電圧変換ユニット（１３５１）は前記電源モジュール（１３６）の電力を変換した後、前記結合式マルチモジュール型の電子シールにおける各部材に電力を供給する。前記マルチ点電子接続端子（１１１）と前記ピン接続端子（１３３）とを配合して接続する時、前記挿入ピン（１１）におけるＲＦＩＤモジュール（１１３）と前記ＲＦＩＤ発射アンテナ（１１４）が前記伝送コード（１１２）を介して前記通信制御座（１３）における電源モジュール（１３６）と接続して回路を構成し、これにより、主動式の電子シールの安全係合感知回路を構成する。
【００２６】
又、前記挿入ピン（１１）が外力で破壊されると、前記通信制御座（１３）の制御と通信モジュール（１３５）は、前記結合式マルチモジュール型の電子シールが破壊された時間と破壊事件を記憶し、且つ破壊時の時間と破壊事件が前記制御と通信モジュール（１３５）における記憶ユニット（図面なし）に記憶される。そして、前記通信制御座（１３）の表示及びアラームモジュール（１３７）によりアラームを行う。前記前記制御と通信モジュール（１３５）における記憶ユニットによって記憶する以外、外部のＲＦＩＤリーダーによって前記結合式マルチモジュール型の電子シールの情報を読み取る時、破壊事件などの記録を全部に読み出することにより、税関人員又はコンテナのオーナは、これに対して対応することができる。本発明の実際動作時、他の方式は、リモート通信ユニット（１３５２）により外部へ前記結合式マルチモジュール型の電子シールに関する破壊時の時間と破壊事件の情報を発送することである。
【００２７】
前記結合式マルチモジュール型の電子シールのシール状態を解除する（係合の解除）場合、外部ＲＦＩＤリーダーよりＲＦ電磁波を発射し、ＲＦＩＤモジュール（１１３）に記憶された唯一の識別コードと安全物流の情報を読み取り、そして前記ＲＦＩＤ発射アンテナ（１１４）によって前記情報の伝送を行い、識別の確認後、前記外部ＲＦＩＤリーダーは暗号化の命令信号を発射し、前記制御と通信モジュール（１３５）のリモート通信ユニット（１３５２）が前記命令信号を接収すると共に、前記暗号化の命令信号に対する解読を行い、そしてシール状態の解除命令を発生して前記安全スイッチモジュール（１３８）へ伝送する。前記安全スイッチモジュール（１３８）を同時に押圧する（図４に示す）と、前記制御と通信モジュール（１３５）はモータ（１３４３）を駆動して反転を行い、前記係合座（１３４２）が移動することにより、前記三日月のロッド（１３４１）が前記第２のリング状溝（１２２）から離脱し、そして前記ピンソケット（１２）が前記ピン挿入座（１３２）から離れることができる。前記三日月のロッド（１３４１）が前記第２のリング状溝（１２２）から離脱すると共に、前記ピンソケット（１２）が前記ピン挿入座（１３２）から離れると、前記制御と通信モジュール（１３５）は前記モータ（１３４３）への電力供給を中止する。こうすることにより、前記結合式マルチモジュール型の電子シールにおける主動式の電子シールのシール状態を解除する。そして、ツールによって前記挿入ピン（１１）を裁断し、前記挿入ピン（１１）が前記ピンソケット（１２）から離れることができる。こうすることにより、前記結合式マルチモジュール型の電子シールにおける被動式の電子シールのシール状態を解除する。この後、コンテナの扉を開くことができる。
【００２８】
又、異なる国又は異なる地域の間に使用する場合、前記結合式マルチモジュール型の電子シールに対するシール状態の解除（係合の解除）は、前記外部ＲＦＩＤリーダーよりＲＦ電磁波を発射し、ＲＦＩＤモジュール（１１３）に記憶された唯一の識別コードと安全物流の情報を読み取り、そして前記ＲＦＩＤ発射アンテナ（１１４）によって前記情報の伝送を行い、識別の確認後、前記外部ＲＦＩＤリーダーは暗号化の命令信号を発射し、前記制御と通信モジュール（１３５）のリモート通信ユニット（１３５２）が前記命令信号を接収すると共に、前記暗号化の命令信号に対する解読を行い、そしてシール状態の解除命令を発生して前記安全スイッチモジュール（１３８）へ伝送する。前記安全スイッチモジュール（１３８）を同時に押圧する（図４に示す）と、前記制御と通信モジュール（１３５）はモータ（１３４３）を駆動して反転を行い、前記係合座（１３４２）が移動することにより、前記三日月のロッド（１３４１）が前記第２のリング状溝（１２２）から離脱し、そして前記ピンソケット（１２）が前記ピン挿入座（１３２）から離れることができる。前記三日月のロッド（１３４１）が前記第２のリング状溝（１２２）から離脱すると共に、前記ピンソケット（１２）が前記ピン挿入座（１３２）から離れると、前記主動式の電子シールにおける通信制御座を取り外すことができる。こうすることにより、前記結合式マルチモジュール型の電子シールにおける主動式の電子シールのシール状態を解除する（係合の解除）が、前記挿入ピン（１１）と前記ピンソケット（１２）の係合を解除せず（例えば裁断する）に、この被動式の電子シールのシール状態を維持するまま目的地に移送する。
【００２９】
本発明に係わる結合式マルチモジュール型の電子シールは、被動式の電子シールと主動式の電子シールを結合すると共に、電気信号回路によって安全感知を行うので、結合式マルチモジュール型の電子シールをコンテナに使用される時、この結合式マルチモジュール型の電子シールが異なる各国の税関システムに対応して固定式または携帯式のＲＦＩＤ識別リーダーにより唯一の識別コードを読み取り、双方向の安全と物流の情報を伝送し、従って、本発明に係わる結合式マルチモジュール型の電子シールは、コンテナの輸送過程中に外力で破壊されると、前記挿入ピン（１１）とピンソケット（１２）との間の伝送コード（１１２）の一部又は全部が破壊されることに関わらず、前記通信制御座（１３）内における制御と通信モジュール（１３５）が本発明に係わる結合式マルチモジュール型の電子シールにおける電圧のチェンジを感知し、本発明に係わる結合式マルチモジュール型の電子シールにおける電圧をチェンジする時間を前記制御と通信モジュール（１３５）の内部における記憶ユニット（図面なし）に記憶し、前記伝送コード（１１２）が新たに接続して電力を供給しても、本発明に係わる結合式マルチモジュール型の電子シールが破壊される時の電圧のチェンジ時間を前記制御と通信モジュール（１３５）の内部における記憶ユニット（図面なし）に記憶しつつ、固定式または携帯式のＲＦＩＤ識別リーダーにより読み取りを行う時、これらの情報を全部に読み出すことにより、税関人員又はコンテナのオーナは、このコンテナが何時に破壊されたことを明瞭すると共に、これに対して対応することができる。こうすると、損害の低減をすることができる。
【００３０】
更に、コンテナの輸送過程中、前記ＧＰＳユニット（１３５３）によって当該コンテナのポジションを位置決めし、そしてＧＰＳポジション情報を前記制御と通信モジュール（１３５）に伝送して記憶する。又、前記コンテナのＧＰＳポジション情報が前記リモート通信ユニット（１３５２）を介して外部に伝送し、コンテナのポジション情報をリアルにフィードバックすることができ、且つ前記リモートユニット（１３５２）は、電気通信のネットワークパッケージによって本発明に係わる結合式マルチモジュール型の電子シールの安全情報と貨物の情報を伝送することができ、前記電気通信のネットワークパッケージは、ＧＰＲＳと、ＷＤＣＤＭＡと、ＨＳＤＰＡとが含まれ、これらの電気通信のネットワークパッケージを利用することにより、リモートの情報交換をリアルに行うことができる。
【００３１】
又、本発明に係わる結合式マルチモジュール型の電子シールは、前記通信制御座（１３）の内部における電源モジュール（１３６）の電力が不足している時、前記表示及びアラームモジュール（１３７）によって表示とアラームを行うことができる。
【００３２】
上述のように、本発明に係わる結合式マルチモジュール型の電子シールは、前記挿入ピン（１１）と、前記ピンソケット（１２）と、前記通信制御座（１３）から構成され、且つ被動式の電子シールと主動式の電子シールに係わる功能とメリットを結合するため、コンテナによって貨物を輸送する際、異なる各国に設けられるＲＦ識別システムに対応し通関申告時に貨物情報の読み取りと情報のフィードバックを行うことができるので、破壊事件を便利に記録して密輸を防止できると共に、リアルにフィードバック報告を行うことができる。
【００３３】
上記の詳細な説明は、本発明に係わる一つの実施形態について具体的に説明を行ったが、その実施形態が本発明の特許請求の範囲を制限するためのものではなく、本発明の技術要旨に離脱しない変形例や同じの効果を達成できる例が本発明の特許請求の範囲に含まれるはずである。
【符号の説明】
【００３４】
１１      挿入ピン
１１１    マルチ点電子接続端子
１１２    伝送コード
１１３    ＲＦＩＤモジュール
１１４    ＲＦＩＤ発射アンテナ
１１５    第１のリング状溝
１２      ピンソケット
１２１    Ｃ字形の係合リング
１２２    第２のリング状溝
１３      通信制御座
１３１    絶縁のプラスチックケース
１３２    ピン挿入座
１３３    ピン接続端子
１３４    係合モジュール
１３４１  三日月形のロッド
１３４２  係合座
１３４３  モータ
１３５    制御と通信モジュール
１３５１  電圧変換ユニット
１３５２  リモート通信ユニット
１３５３  ＧＰＳユニット
１３６    電源モジュール
１３７    表示及びアラームモジュール
１３８    安全スイッチモジュール
【図１】
2014119892.tif 000003
【図２】
2014119892.tif 000004
【図３】
2014119892.tif 000005
【図４】
2014119892.tif 000006